(57)【要約】      （修正有）【課題】洗浄効果を高めることができる内視鏡洗浄セットを提供する。【解決手段】内視鏡洗浄セット１００は、内視鏡先端面用クリーナー１と、内視鏡先端面用ワイパー３１とを備える。内視鏡先端面用クリーナー１は、管３と、射出部５とを含む。射出部５は、管３の先端部に設けられる。射出部５には、管３から供給される液体を射出する孔７が形成される。射出部５のうち孔７が形成される部位９は、管３の長手方向に対して傾斜している。内視鏡先端面用ワイパー３１は、柄３３と、拭取部３５とを含む。拭取部３５は、柄３３の先端部に設けられる。拭取部３５には、内視鏡の先端面に接触させるための接触部３７が形成される。接触部３７は、柄３３の長手方向に対して傾斜している。【選択図】図１
2015039592.tif 000002
【特許請求の範囲】
【請求項１】
内視鏡先端面用クリーナーと、
内視鏡先端面用ワイパーと
を備え、
前記内視鏡先端面用クリーナーは、
管と、
前記管の先端部に設けられる射出部と
を含み、
前記射出部には、前記管から供給される液体を射出する孔が形成され、
前記射出部のうち前記孔が形成される部位は、前記管の長手方向に対して傾斜し、
前記内視鏡先端面用ワイパーは、
柄と、
前記柄の先端部に設けられる拭取部と
を含み、
前記拭取部には、内視鏡の先端面に接触させるための接触部が形成され、
前記接触部は、前記柄の長手方向に対して傾斜している、内視鏡洗浄セット。
【請求項２】
内視鏡の先端面を洗浄する内視鏡先端面用クリーナーであって、
管と、
前記管の先端部に設けられる射出部と
を備え、
前記射出部には、前記管から供給される液体を射出する孔が形成され、
前記射出部のうち前記孔が形成される部位は、前記管の長手方向に対して傾斜している、内視鏡先端面用クリーナー。
【請求項３】
前記管は直線状であり、
前記孔は、前記管に対して０度以上９０度未満の角度を形成する方向を向く、請求項２に記載の内視鏡先端面用クリーナー。
【請求項４】
前記管の基端に形成され、注射筒の先端部が嵌合される嵌合部をさらに備える、請求項２又は請求項３に記載の内視鏡先端面用クリーナー。
【請求項５】
前記管の基端部に形成される把手をさらに備える、請求項２から請求項４のいずれか１項に記載の内視鏡先端面用クリーナー。
【請求項６】
柄と、
前記柄の先端部に設けられる拭取部と
を備え、
前記拭取部には、内視鏡の先端面に接触させるための接触部が形成され、
前記接触部は、前記柄の長手方向に対して傾斜している、内視鏡先端面用ワイパー。
【請求項７】
前記柄は直線状であり、
前記接触部は、前記柄に対して９０度以上１８０度未満の角度を形成する、請求項６に記載の内視鏡先端面用ワイパー。
【請求項８】
前記接触部は吸水性を有する、請求項６又は請求項７に記載の内視鏡先端面用ワイパー。
【発明の詳細な説明】
【技術分野】
【０００１】
本発明は、内視鏡洗浄セット、内視鏡先端面用クリーナー、及び内視鏡先端面用ワイパーに関する。
【背景技術】
【０００２】
特許文献１は、脊椎内視鏡の洗浄管を開示する。洗浄管の先端部の側面には穴（以下、「横穴」と記載する。）が形成される。洗浄管に生理食塩水を注入すると、横穴から生理食塩水が噴出する。
【先行技術文献】
【特許文献】
【０００３】
【特許文献１】実用新案登録第３１７６７１３号公報
【発明の概要】
【発明が解決しようとする課題】
【０００４】
しかしながら、洗浄管は、内視鏡アタッチメントに固定され、しかも、内視鏡に隣り合って平行に配置されるため、内視鏡の先端面（レンズ）に、洗浄管の横穴から噴出した生理食塩水を直接吹き掛けることができない。従って、洗浄効果は必ずしも十分ではない。
【０００５】
本発明は上記課題に鑑みてなされたものであり、その目的は、洗浄効果を高めることができる内視鏡洗浄セット、内視鏡先端面用クリーナー、及び内視鏡先端面用ワイパーを提供することにある。
【課題を解決するための手段】
【０００６】
本発明の第１の観点によれば、内視鏡洗浄セットは、内視鏡先端面用クリーナーと、内視鏡先端面用ワイパーとを備える。前記内視鏡先端面用クリーナーは、管と、射出部とを含む。射出部は、前記管の先端部に設けられる。前記射出部には、前記管から供給される液体を射出する孔が形成される。前記射出部のうち前記孔が形成される部位は、前記管の長手方向に対して傾斜している。前記内視鏡先端面用ワイパーは、柄と、拭取部とを含む。拭取部は、前記柄の先端部に設けられる。前記拭取部には、内視鏡の先端面に接触させるための接触部が形成される。前記接触部は、前記柄の長手方向に対して傾斜している。
【０００７】
本発明の第２の観点によれば、内視鏡先端面用クリーナーは、内視鏡の先端面を洗浄する。内視鏡先端面用クリーナーは、管と、射出部とを備える。射出部は、前記管の先端部に設けられる。前記射出部には、前記管から供給される液体を射出する孔が形成される。前記射出部のうち前記孔が形成される部位は、前記管の長手方向に対して傾斜している。
【０００８】
第２の観点に係る内視鏡先端面用クリーナーにおいて、前記管は直線状であることが好ましい。前記孔は、前記管に対して０度以上９０度未満の角度を形成する方向を向くことが好ましい。
【０００９】
第２の観点に係る内視鏡先端面用クリーナーは、嵌合部をさらに備えることが好ましい。嵌合部は、前記管の基端に形成され、注射筒の先端部が嵌合されることが好ましい。
【００１０】
第２の観点に係る内視鏡先端面用クリーナーは、把手をさらに備えることが好ましい。把手は、前記管の基端部に形成されることが好ましい。
【００１１】
本発明の第３の観点によれば、内視鏡先端面用ワイパーは、柄と、拭取部とを備える。拭取部は、前記柄の先端部に設けられる。前記拭取部には、内視鏡の先端面に接触させるための接触部が形成される。前記接触部は、前記柄の長手方向に対して傾斜している。
【００１２】
第３の観点に係る内視鏡先端面用ワイパーにおいて、前記柄は直線状であることが好ましい。前記接触部は、前記柄に対して９０度以上１８０度未満の角度を形成することが好ましい。
【００１３】
第３の観点に係る内視鏡先端面用ワイパーにおいて、前記接触部は吸水性を有することが好ましい。
【発明の効果】
【００１４】
本発明によれば、内視鏡先端面用クリーナーの孔が形成される部位が管に対して傾斜しているため、孔と内視鏡の先端面とが対向するように内視鏡先端面用クリーナーを配置できる。従って、孔から射出される液体を内視鏡の先端面に直接吹き掛けることができる。その結果、液体を先端面に直接吹き掛けることができない場合と比較して、洗浄効果を高めることができる。さらに、内視鏡先端面用ワイパーによって内視鏡の先端面に付着した液体を拭取ることにより、洗浄効果を一層高めることができる。
【図面の簡単な説明】
【００１５】
【図１】本発明の実施形態に係る内視鏡洗浄セットを示す斜視図である。
【図２】（ａ）図１に示す内視鏡先端面用クリーナーの側面図である。（ｂ）図１に示す内視鏡先端面用クリーナーに注射筒を取り付けた状態を示す側面図である。
【図３】図１に示す内視鏡先端面用クリーナーの腹腔鏡手術での使用状態を説明する図である。
【図４】図１に示す内視鏡先端面用ワイパーの側面図である。
【図５】図１に示す内視鏡先端面用ワイパーの腹腔鏡手術での使用状態を説明する図である。
【図６】図１に示す内視鏡洗浄セットを使用する前の内視鏡の状態を説明する図である。
【図７】図１に示す内視鏡先端面用クリーナーの脊椎内視鏡手術での使用状態を説明する図である。
【図８】図１に示す内視鏡先端面用ワイパーの脊椎内視鏡手術での使用状態を説明する図である。
【図９】本発明の実施形態の第１変形例に係る内視鏡洗浄セットを示す斜視図である。
【図１０】本発明の実施形態の第２変形例に係る内視鏡洗浄セットを示す斜視図である。
【発明を実施するための形態】
【００１６】
以下、本発明の実施形態について、図面を参照しながら説明する。なお、図中、同一または相当部分については同一の参照符号を付して説明を繰り返さない。
【００１７】
［基本原理］
図１を参照して、本発明の実施形態に係る内視鏡洗浄セット１００について説明する。図１は、内視鏡洗浄セット１００を示す斜視図である。内視鏡洗浄セット１００は、内視鏡先端面用クリーナー１（以下、「クリーナー１」と記載する。）と、内視鏡先端面用ワイパー３１（以下、「ワイパー３１」と記載する。）とを有する。
【００１８】
クリーナー１は、内視鏡の先端面（例えば、後述する図３の内視鏡２３ａの先端面２４）を洗浄する。クリーナー１は、管３（例えば、円筒、角筒）と、射出部５とを備える。射出部５は、管３の先端部に設けられる。射出部５には、孔７が形成されており、孔７からは、管３から供給される液体が射出される。射出部５のうち孔７が形成される部位９は、管３の長手方向に対して傾斜している。
【００１９】
ワイパー３１は、柄３３と、拭取部３５とを備える。拭取部３５は、柄３３の先端部に設けられる。拭取部３５には、内視鏡の先端面に接触される接触部３７が形成される。接触部３７は、柄３３の長手方向に対して傾斜している。
【００２０】
本実施形態によれば、クリーナー１の孔７が形成される部位９が管３に対して傾斜しているため、孔７と内視鏡の先端面とが対向するようにクリーナー１を配置できる。従って、孔７から射出される液体を内視鏡の先端面に直接吹き掛けることができる。その結果、液体を先端面に直接吹き掛けることができない場合と比較して、洗浄効果を高めることができる。さらに、ワイパー３１によって内視鏡の先端面に付着した液体を拭取ることにより、洗浄効果を一層高めることができる。
【００２１】
［クリーナー１の詳細］
図１及び図２を参照して、クリーナー１の構造の詳細を説明する。図２（ａ）は、クリーナー１の側面図である。図２（ｂ）は、クリーナー１に注射筒１５を取り付けた状態を示す側面図である。なお、図２（ａ）においては、射出部５の部分断面が示される。
【００２２】
射出部５は、例えば、円板状である。射出部５の内部には、孔７と管３の内部（流路）とを連結する流路８が形成される。流路８は、例えば、管により形成される。又は、射出部５の内部を空洞にして、その空洞を流路８とすることもできる。
【００２３】
管３は、例えば、直線状である。孔７が形成される部位９は、例えば、平面状である。部位９は、管３に対して９０度以上１８０度未満の角度θ１を形成する。その結果、孔７は、管３に対して０度以上９０度未満の角度θ２を形成する方向（矢印Ａが示す方向）を向く。本実施形態では、角度θ１及び角度θ２は一定である。つまり、射出部５は管３に固定される。
【００２４】
部位９は、管３に対して９０度以上１７０度以下の角度θ１を形成することが好ましい。孔７は、管３に対して０度以上８０度以下の角度θ２を形成する方向（矢印Ａが示す方向）を向くことが好ましい。
【００２５】
クリーナー１は、把手１１と、嵌合部１３とをさらに備えることができる。把手１１は、管３の基端部に形成される。把手１１は、例えば、円板状である。嵌合部１３は、管３の基端に形成される。嵌合部１３には、注射筒１５の先端部が嵌合される。
【００２６】
注射筒１５には、液体１７（例えば、生理食塩水）が充填される。注射筒１５が操作されると、液体１７は管３に注入される。管３に注入された液体１７は、さらに射出部５に供給される。その結果、液体１７は孔７から角度θ２の方向に向かって射出される。
【００２７】
例えば、クリーナー１は、金属、合成樹脂、又は金属及び合成樹脂により形成される。クリーナー１は、使い捨ての製品であってもよい。
【００２８】
［クリーナー１の腹腔鏡手術での使用例］
図３を参照して、クリーナー１の腹腔鏡手術での使用例を説明する。図３は、クリーナー１の腹腔鏡手術での使用状態を説明する図である。腹腔鏡手術では、例えば、内視鏡２３ａが利用される。内視鏡２３ａの先端面２４は、内視鏡２３ａの軸線に対して直角を形成する。先端面２４は、例えば、対物レンズ（図示せず）の表面を含む。
【００２９】
身体Ｂには、ポート１９とポート２１とが、間隔を置いて配置される。ポート１９及びポート２１は、例えば、筒状部材である。内視鏡２３ａは、ポート１９を介して、身体Ｂに挿入される。そして、臓器Ｐ１及び臓器Ｐ２に対して腹腔鏡手術が実行される。手術に伴って、体液及び結露等によって内視鏡２３ａの先端面２４が汚染される。
【００３０】
術者又は補助者（以下、「術者等」と記載する。）は、先端面２４が汚染されると、ポート２１を介してクリーナー１を身体Ｂに挿入する。孔７が形成される部位９が傾斜しており、また、内視鏡２３ａにより部位９を視認できるため、術者等は、孔７を先端面２４に容易に対向させることができる。なお、術者等は、把手１１を把持してクリーナー１の位置合わせを行う。また、注射筒１５が嵌合された状態でクリーナー１を身体Ｂに挿入する。又は、クリーナー１を身体Ｂに挿入した後に注射筒１５をクリーナー１に嵌合させてもよい。
【００３１】
クリーナー１の配置が定まると、術者等は、把手１１を支えとして注射筒１５を操作して、液体１７を管３に注入する。液体１７は管３から射出部５へ供給される。そして、射出部５の孔７から、内視鏡２３ａの先端面２４に向けて液体１７が射出される。その結果、先端面２４に液体１７が直接吹き掛けられ、先端面２４が洗浄される。術者等は、先端面２４を洗浄後、クリーナー１を身体Ｂから取り出す。そして、術者等は手術を再開する。又は、術者等は、後述するように、ワイパー３１により先端面２４の拭取り作業を行う（図５参照）。
【００３２】
［ワイパー３１の詳細］
図１及び図４を参照して、ワイパー３１の構造の詳細を説明する。図４は、ワイパー３１の側面図である。柄３３は、例えば、直線状である。拭取部３５は、例えば、円板状である。接触部３７は、管３に対して９０度以上１８０度未満の角度θ３を形成する。接触部３７は、管３に対して９０度以上１７０度以下の角度θ３を形成することが好ましい。接触部３７は、例えば、平面状である。
【００３３】
例えば、柄３３及び拭取部３５（接触部３７を除く。）は、木製、金属性、又は合成樹脂製である。接触部３７は吸水性を有する。例えば、接触部３７は、綿（例えば、ガーゼ）により形成される。ワイパー３１は、使い捨ての製品であってもよい。
【００３４】
［ワイパー３１の腹腔鏡手術での使用例］
図４及び図５を参照して、ワイパー３１の腹腔鏡手術での使用例を説明する。図５は、ワイパー３１の腹腔鏡手術での使用状態を説明する図である。例えば、クリーナー１で内視鏡２３ａの先端面２４を洗浄し、クリーナー１を身体Ｂから取り出した後に、術者等は、ポート２１を介してワイパー３１を身体Ｂに挿入する。接触部３７が傾斜しており、また、内視鏡２３ａにより接触部３７を視認できるため、術者等は、接触部３７を先端面２４に接触させて、先端面２４に付着した液体１７を容易に拭取ることができる。術者等は、拭取り後、ワイパー３１を身体Ｂから取り出す。そして、術者等は手術を再開する。
【００３５】
［クリーナー１及びワイパー３１の脊椎内視鏡手術での使用例］
図６〜図８を参照して、クリーナー１及びワイパー３１の脊椎内視鏡手術での使用例を説明する。図６は、クリーナー１及びワイパー３１を使用する前の内視鏡２３ｂの状態を説明する図である。図７は、クリーナー１の脊椎内視鏡手術での使用状態を説明する図である。図８は、ワイパー３１の脊椎内視鏡手術での使用状態を説明する図である。
【００３６】
図６に示すように、脊椎内視鏡手術では、例えば、内視鏡２３ｂが利用される。内視鏡２３ｂは斜視鏡である。従って、内視鏡２３ｂの先端面２４は、内視鏡２３ｂの軸線に対して傾斜している。
【００３７】
身体Ｂには、レトラクター２５が配置される。レトラクター２５の先端は臓器Ｐ３及びＰ４に当接する。レトラクター２５は、例えば、筒状部材である。内視鏡２３ｂは、レトラクター２５を介して、身体Ｂに挿入される。そして、臓器Ｐ５に対して脊椎内視鏡手術が実行される。手術に伴って、体液、骨屑、及び結露等によって内視鏡２３ｂの先端面２４が汚染される。
【００３８】
図７に示すように、術者等は、先端面２４が汚染されると、レトラクター２５を介してクリーナー１を身体Ｂに挿入する。腹腔鏡手術の場合と同様に、術者等は、孔７を先端面２４に容易に対向させることができる。
【００３９】
クリーナー１の配置が定まると、腹腔鏡手術の場合と同様にして、術者等は、孔７から先端面２４に液体１７を直接吹き掛け、先端面２４を洗浄する。術者等は、洗浄後、クリーナー１を身体Ｂから取り出す。
【００４０】
そして、図８に示すように、術者等は、レトラクター２５を介してワイパー３１を身体Ｂに挿入する。腹腔鏡手術の場合と同様に、術者等は、接触部３７を先端面２４に接触させて、先端面２４に付着した液体１７を容易に拭取ることができる。術者等は、拭取り後、ワイパー３１を身体Ｂから取り出す。そして、術者等は手術を再開する。
【００４１】
［第１変形例及び第２変形例］
図９及び図１０を参照して、本発明の実施形態の第１変形例及び第２変形例に係る内視鏡洗浄セット１００について説明する。図９は、第１変形例に係る内視鏡洗浄セット１００を示す斜視図である。図１０は、第２変形例に係る内視鏡洗浄セット１００を示す斜視図である。
【００４２】
まず、クリーナー１について説明する。第１変形例及び第２変形例に係るクリーナー１と図１を参照して説明したクリーナー１とが異なる点は、射出部５の形状である。なお、射出部５の内部構造は、図２（ａ）を参照して説明した射出部５の内部構造と同じである。孔７が形成される部位９は平面状である。管３に対する部位９の傾斜は、図２（ａ）を参照して説明した管３に対する部位９の傾斜と同じである。
【００４３】
図９に示すように、第１変形例に係る射出部５は楕円板状である。図１０に示すように、第２変形例に係る射出部５は直方体状である。第１変形例及び第２変形例では、円板状の射出部５と比較して、サイズが小さくなり、射出部５による内臓への圧迫を抑制できる。なお、楕円板及び直方体は、細長の形状の一例である。
【００４４】
次に、ワイパー３１について説明する。第１変形例及び第２変形例に係るワイパー３１と図１を参照して説明したワイパー３１とが異なる点は、拭取部３５の形状である。なお、拭取部３５の接触部３７は平面状である。柄３３に対する接触部３７の傾斜は、図４を参照して説明した柄３３に対する接触部３７の傾斜と同じである。
【００４５】
図９に示すように、第１変形例に係る拭取部３５は楕円板状である。図１０に示すように、第２変形例に係る拭取部３５は直方体状である。第１変形例及び第２変形例では、円板状の拭取部３５と比較して、サイズが小さくなり、拭取部３５による内臓への圧迫を抑制できる。なお、楕円板及び直方体は、細長の形状の一例である。
【００４６】
以上、図１、図２、図３、図５、図７、図９、及び図１０を参照して説明したように、本実施形態及び変形例（第１変形例及び第２変形例）によれば、クリーナー１の孔７が形成される部位９が管３に対して傾斜しているため、内視鏡２３（内視鏡２３ａ及び内視鏡２３ｂ）の先端面２４に、孔７から射出される液体１７を直接吹き掛けることができる。その結果、洗浄効果を高めることができる。また、射出部５を内視鏡２３で視認できるため、クリーナー１の位置合わせが容易である。
【００４７】
また、図１、図２、図３、図７、図９、及び図１０を参照して説明したように、本実施形態及び変形例によれば、クリーナー１の管３には嵌合部１３が設けられる。従って、注射筒１５をクリーナー１に容易に装着でき、液体１７を簡易に管３に注入できる。また、管３には把手１１が設けられる。従って、術者等にとって、クリーナー１の位置合わせに便宜である。また、術者等は、把手１１を持って、注射筒１５を操作できるため、液体１７の注入作業が容易になる。
【００４８】
さらに、図１、図４、図５、図８、図９、及び図１０を参照して説明したように、本実施形態及び変形例によれば、ワイパー３１の接触部３７が柄３３に対して傾斜しているため、内視鏡２３の先端面２４に付着された液体１７及びその他の付着物を簡易に拭取ることができる。その結果、洗浄効果を一層高めることができる。また、ワイパー３１の接触部３７は吸水性を有するため、短時間で効率よく、先端面２４に付着した液体１７等を拭き取ることができる。
【００４９】
さらに、図３、図５、図７、及び図８を参照して説明したように、本実施形態及び変形例によれば、クリーナー１及びワイパー３１は、内視鏡２３を体内に留置したまま、出し入れ可能である。従って、内視鏡２３を体内に留置したまま、先端面２４を洗浄できる。その結果、洗浄作業のための時間を短縮でき、また、内視鏡２３の再セッティングが不要になって手術時間を短縮できる。なお、一般的には、内視鏡の先端面が汚染された場合、内視鏡を体外に取り出し、洗浄して、再度元の位置にセッティングするという作業が行われている。
【００５０】
なお、本発明は、上記の実施形態及び変形例に限られるものではなく、その要旨を逸脱しない範囲で種々の態様において実施することが可能であり、例えば、以下のような変形も可能である。
【００５１】
（１）図２、図３、及び図７を参照して説明した実施形態では、液体１７は、注射筒１５により手動で管３に注入された。ただし、ポンプ等を使用して自動で液体１７を管３に注入することもできる。
【００５２】
（２）図１、図２、図９、及び図１０を参照して説明した実施形態及び変形例では、射出部５は管３に固定された。ただし、使用時に射出部５を固定できる構成であれば、射出部５の角度θ１を可変にできる構成であってもよい。
【００５３】
（３）図１、図９、及び図１０を参照して説明した実施形態及び変形例では、射出部５には１つの孔７が形成された。ただし、射出部５に複数の孔７を形成することもできる。
【００５４】
（４）クリーナー１の射出部５の形状は、図１、図９、及び図１０に示した形状に限定されない。例えば、管３の先端部を曲げ、その先端部を射出部５とする。そして、先端部の側面又は先端部の先端面に孔７を形成する。先端部の側面又は先端部の先端面が、孔７が形成される部位９に相当する。これらの場合、先端部のうち孔７が形成される部位９が、管３に対して９０度以上１８０度未満の角度θ１を形成するように、管３の先端部を曲げる。その結果、孔７は、管３に対して０度以上９０度未満の角度θ２を形成する方向（矢印Ａが示す方向）を向く。なお、図１及び図２を参照して説明した角度θ１及び角度θ２の好ましい例を適用することもできる。
【００５５】
（５）図３及び図５を参照して説明した腹腔鏡手術では、例えば、クリーナー１の管３の長さは２０ｃｍ〜３０ｃｍであり、外径は５ｍｍ〜６ｍｍである。例えば、ポート１９及びポート２１の外径は１２ｍｍ〜１４ｍｍである。例えば、ワイパー３１の柄３３の長さは４０ｃｍであり、直径は２ｍｍ〜３ｍｍである。
【００５６】
図６〜図８を参照して説明した脊椎内視鏡手術では、例えば、管３の長さは１０ｃｍ〜２０ｃｍであり、外径は５ｍｍ〜６ｍｍである。例えば、レトラクター２５の外径は１６ｍｍ〜１８ｍｍである。例えば、柄３３の長さは４０ｃｍであり、直径は２ｍｍ〜３ｍｍである。
【００５７】
（６）図１、図９、及び図１０を参照して説明した内視鏡洗浄セット１００は、例えば、灌流液を使用せずに行う内視鏡手術（例えば、脊椎内視鏡手術、腹腔鏡手術、胸腔鏡手術等）において内視鏡２３の先端面２４を洗浄する際に特に有用である。
【００５８】
（７）図１、図９、及び図１０を参照して説明したクリーナー１及びワイパー３１はセットとして使用することが効果的であるが、それぞれ、別個に使用することもできる。
【産業上の利用可能性】
【００５９】
本発明は、内視鏡の先端面を洗浄する器具の分野に利用可能である。
【符号の説明】
【００６０】
１    内視鏡先端面用クリーナー
３    管
５    射出部
７    孔
８    流路
９    部位
１１    把手
１３    嵌合部
１５    注射筒
１７    液体
１９    ポート
２１    ポート
２３ａ    内視鏡
２３ｂ    内視鏡
２４    先端面
２５    レトラクター
３１    内視鏡先端面用ワイパー
３３    柄
３５    拭取部
３７    接触部
【図１】
2015039592.tif 000003
【図２】
2015039592.tif 000004
【図３】
2015039592.tif 000005
【図４】
2015039592.tif 000006
【図５】
2015039592.tif 000007
【図６】
2015039592.tif 000008
【図７】
2015039592.tif 000009
【図８】
2015039592.tif 000010
【図９】
2015039592.tif 000011
【図１０】
2015039592.tif 000012